(57)【要約】【課題】  本発明は、作業ベルトや紐やセイフティーフックを使わずに腰に装着でき、なお脱着もスムーズな、ヘラをズボンに差し込んで装着する収納袋を提供する。【解決手段】  下辺を舌片状に湾曲突出させた薄板からなる短尺のヘラの上辺を背面へ向けて直角に曲げて曲折部とし、ヘラの上縁表面に横長状の膨らみ部を設け、上面を開口した収納袋の開口縁の一部にヘラの曲折部を当ててヘラの背面上縁と収納袋の開口縁を結合した、ヘラをズボンに差し込んで装着する収納袋。【選択図】図１
2008043711.tif 000002
【特許請求の範囲】
【請求項１】
下辺を舌片状に湾曲突出させた薄板からなる短尺のヘラの上辺を背面へ向けて直角に曲げて曲折部とし、ヘラの上縁表面に横長状の膨らみ部を設け、上面を開口した収納袋の開口縁の一部にヘラの曲折部を当ててヘラの背面上縁と収納袋の開口縁を結合した、ヘラをズボンに差し込んで装着する収納袋。
【請求項２】
収納袋の背壁の開口縁に縦長状の帯体を設け、帯の上辺をヘラの曲折部にあててヘラの背面上縁に結合した請求項１記載のヘラをズボンに差し込んで装着する収納袋。
【発明の詳細な説明】
【技術分野】
【０００１】  本発明は、作業ベルトや紐やセイフティーフックを使わずに腰に装着でき、なお脱着もスムーズな、ヘラをズボンに差し込んで装着する収納袋に関するものである。
【背景技術】
【０００２】  以下、図９、図１０、図１１、図１２により従来の腰袋等について説明する。
（イ）図９の腰袋は、ベルトを通す輪（１３）に作業ベルト（１４）を通し、腰に装着するタイプである。
（ロ）図１０は紐（１５）を袋の輪（１６）に通し、腰に巻きつけ縛るタイプである。
（ハ）図１１はクリップ（１７）を作業ベルト（１４）やズボン用ベルト（１１）などに差し込んで装着するタイプである。（特許文献１）
（ニ）図１２はセイフティーフック（１８）でズボン用ベルト（１１）やズボンのベルトを通す輪などに引っ掛けて装着するタイプである。
【特許文献１】登録実用新案第３０７３６０８号公報
【発明の開示】
【発明が解決しようとする課題】
【０００３】  以上に述べた腰袋を腰に装着する場合、次の問題点があった。
（イ）図９、図１０は作業ベルト（１４）や紐（１５）を使わなくてはならず、装着と外すことに時間がかかる。また、作業ベルト（１４）によって体が締め付けられ圧迫感がある。さらに見栄えもよくない。そして腰袋を外し保管する時には作業ベルト（１４）が場所を取り不便である。
（ロ）図１１も作業ベルト（１４）を使わなくてはならない。また、ズボン用ベルト（１１）にセットする場合、袋の位置は腰の高い部分にきて使いづらく、上着を着た場合、上着の内側に隠れてしまう。
（ハ）図１２に関しては、袋（３）がセイフティーフック（１８）によってぶら下げられるため、作業中、袋（３）が横揺れし中身が落ちることがある。
本発明はこれらの問題点を解決するためになされたものである。
【課題を解決するための手段】
【０００４】  下辺を舌片状に湾曲突出させた薄板からなる短尺のヘラの上辺を背面へ向けて直角に曲げて曲折部とし、ヘラの上縁表面に横長状の膨らみ部を設ける。そして、上面を開口した収納袋の開口縁の一部にヘラの曲折部を当ててヘラの背面上縁と収納袋の開口縁を結合した、ヘラをズボンに差し込んで装着する収納袋。
【発明の効果】
【０００５】  この収納袋は、作業ベルト（１４）や紐（１５）等を使わずに装着できるため、体に圧迫感がない。また、保管する時も場所をとらない。【０００７】  ヘラ（１）をズボン（１２）の腰の部分に差し込むだけなので、素早く簡単に脱着ができ、見栄えもよくなる。【０００８】  また、応用例（図３）においては、帯体（９）に横幅を持たせたため、セイフティーフック（１８）などでぶら下げるものとは違い、袋（３）が横揺れて中身が落ちることはない。【０００９】  帯体（９）に縦の長さを持たせているため、袋（３）の位置が腰の程よい高さにくる。また、上着を着ても上着の内側に隠れることはない。
【発明を実施するための最良の形態】
【実施例１】
【００１０】  以下、本発明の実施の形態について説明する。
（イ）図１において、ヘラ（１）の横幅は１０ｃｍぐらいにする。また、ヘラの縦の長さは８ｃｍほどにし、差し込んだズボンから簡単に抜けない長さにする。また厚さは０．１５ｃｍぐらいにする。
（ロ）ヘラ（１）は、ポリエチレンなどのやわらかい素材を使い、腰のカーブに合わせて曲がるようにし、腰に痛みを与えないようにする。
（ハ）ヘラ（１）を側面（図５）から見た場合、上辺を直角に曲げて曲折部（４）を作り、ヘラ（１）の横幅全体にせり出させる。また、曲げた側とは反対側の上縁表面に横長状の膨らみ部（７）をつけ、脱着時に指が引っかかるようにする。
（ニ）また、ヘラ（１）の下部（８）は膨らみ部（７）側を薄くし、ズボンに差し込みやすくする。
（ホ）袋（３）に関しては、上面を開口した袋（３）の開口縁（２）の一部にヘラの曲折部（４）を当ててヘラ（１）の背面上縁と袋（３）の開口縁（２）を結合させる。
（ヘ）袋（３）は、ナイロンなとの素材を用い、全体の重量を軽くする。
【実施例２】
【００１１】（イ）また、図３にあるように、袋（３）の背壁の開口縁（２）に縦長状の帯体（９）を設ける。そして帯体（９）の上辺に実施例１記載のヘラ（１）の曲折部（４）を当ててヘラ（１）の背面上縁と帯体（９）の上辺を結合する。
（ロ）帯体（９）は、縦の長さは１０ｃｍから１５ｃｍほどにし、横幅はこのヘラ（１）の横幅の長さと同じぐらいにする。
（ハ）袋（３）と帯体（９）は、ナイロンなどの素材を用い、全体の重量を軽くする。
本発明は以上のような構造で、これを使用するときは、ヘラ（１）の上部を持ちヘラ（１）をズボンの腰の部分に差込み装着する。あるいは、作業ベルト（１４）やズボン用ベルト（１１）に差し込み、装着することもできる。また、取り外すときは、ヘラ（１）の曲折部（４）と膨らみ部（７）に指先を引っ掛け、つまんで引き抜く。
【産業上の利用可能性】
【図面の簡単な説明】
【００１２】
【図１】本発明の斜視図
【図２】本発明の側面図
【図３】本発明の斜視図
【図４】本発明の側面図
【図５】ヘラ部分の側面図
【図６】ヘラ部分の正面図
【図７】装着時の断面図
【図８】装着時の断面図
【図９】従来の斜視図
【図１０】従来の斜視図
【図１１】従来の斜視図
【図１２】従来の斜視図
【符号の説明】
【００１３】  １    ヘラ
２    開口部
３    袋
４    曲折部
５    結合部
６    背壁
７    膨らみ部
８    ヘラの下部
９    帯体
１０  人体
１１  ズボン用ベルト
１２  ズボン
１３  ベルトを通す輪
１４  作業ベルト
１５  紐
１６  袋の輪
１７  クリップ
１８  セイフティーフック
【図１】
2008043711.tif 000003
【図２】
2008043711.tif 000004
【図３】
2008043711.tif 000005
【図４】
2008043711.tif 000006
【図５】
2008043711.tif 000007
【図６】
2008043711.tif 000008
【図７】
2008043711.tif 000009
【図８】
2008043711.tif 000010
【図９】
2008043711.tif 000011
【図１０】
2008043711.tif 000012
【図１１】
2008043711.tif 000013
【図１２】
2008043711.tif 000014